(57)【要約】【課題】２台のハードディスクレコーダを用い親画面と子画面に表示する２画面テレビを、操作が容易なテレビシステムとして実現することにある。【解決手段】第１の映像信号をランダムアクセス可能な第１の記録媒体に記録して読み出し親画面に表示し、また第２の映像信号を第２の記録媒体より読み出して子画面に表示する２画面テレビ装置で、その読み出し位置の制御はテレビ用リモコン３０に設けられるＶＴＲ操作用ボタンを用いて行うに際し、２画面表示が開始されたときに親画面の方を主番組、子画面を副番組として定め、ＶＴＲ操作用ボタンが操作されたときに副番組を親画面の方に制御手段１７により切り替えて表示し、その再生制御ボタン操作に応じて記録媒体の読み出し位置を再生制御信号生成手段１７により可変制御して読み出し、親画面に表示するように構成して実現した。【選択図】　　図１
2004072449.tif 000002
【特許請求の範囲】
【請求項１】
受信して得られる第１のチャンネルの映像信号をランダムアクセス可能な第１の記録媒体に記録し、その記録した信号の任意の位置をアクセスして読み出し、その読み出して得られる映像信号を親画面と子画面とよりなる２画面表示のいずれか一方の画面に表示し、且つ第２のチャンネルの映像信号をランダムアクセス可能な第２の記録媒体に記録し、その記録した信号の任意の位置をアクセスして読み出し、その読み出して得られる映像信号を前記２画面表示手段の親画面又は子画面の他方の画面に表示する一方、前記２画面表示手段の子画面に表示されている映像信号を親画面に表示し直すと共に、前記親画面に表示し直した映像信号の再生を表示開始時点から所望の時間遡って録画済み映像信号の再生位置を制御する２画面テレビジョンの受信再生方法であって、
前記２画面表示手段における子画面表示が開始されたときに、親画面の方に表示される番組を主番組、子画面の方の番組を副番組として定める第１のステップと、
前記親画面に表示し直した映像信号の再生を表示開始時点から所望の時間遡って録画済み映像信号の再生位置を制御する再生操作ボタンが操作されたときに副番組の映像信号を親画面に表示する第２のステップと、
前記再生操作ボタンの操作に応じて親画面に表示される映像信号のアクセス読み出し位置を可変して読み出す第３のステップと、
を有することを特徴とする２画面テレビジョンの受信再生方法。
【請求項２】
受信して得られる第１のチャンネルの映像信号をランダムアクセス可能な第１の記録媒体に記録し、その記録した信号の任意の位置をアクセスして読み出し、その読み出して得られる映像信号を親画面と子画面とよりなる２画面表示のいずれか一方の画面に表示し、且つ第２のチャンネルの映像信号をランダムアクセス可能な第２の記録媒体に記録し、その記録した信号の任意の位置をアクセスして読み出し、その読み出して得られる映像信号を前記２画面表示手段の親画面又は子画面の他方の画面に表示する一方、前記２画面表示手段の子画面に表示されている映像信号を親画面に表示し直すと共に、前記親画面に表示し直した映像信号の再生を表示開始時点から所望の時間遡って録画済み映像信号の再生位置を制御する２画面テレビジョンの受信再生方法であって、
前記２画面表示手段における子画面表示が開始されたときに、親画面の方に表示される番組を主番組、子画面の方の番組を副番組として定める第１のステップと、
前記受信チャンネルの変更操作がなされたときに、新しく設定された受信チャンネルの映像信号を親画面に表示すると共に、前記主番組を子画面に表示する第２のステップと、
前記主番組の記録を、前記２画面表示が終了するまで、又は記録停止の操作がなされるまで継続して行なう第３のステップと、
を有することを特徴とする２画面テレビジョンの受信再生方法。
【請求項３】
受信して得られる第１のチャンネルの映像信号をランダムアクセス可能な第１の記録媒体に記録し、その記録した信号の任意の位置をアクセスして読み出し、その読み出して得られる映像信号を親画面と子画面とよりなる２画面表示のいずれか一方の画面に表示し、且つ第２のチャンネルの映像信号をランダムアクセス可能な第２の記録媒体に記録し、その記録した信号の任意の位置をアクセスして読み出し、その読み出して得られる映像信号を前記２画面表示手段の親画面又は子画面の他方の画面に表示する一方、前記２画面表示手段の親画面に表示されている映像信号の再生を表示開始時点から所望の時間遡って録画済み映像信号の再生位置を制御する２画面テレビジョン受信再生装置であって、
前記２画面表示手段において親画面の方に表示されている映像信号は、前記第１の記録媒体に記録した信号、又は前記第２の記録媒体に記録した信号のいずれであるかを検出する媒体検出手段と、
前記映像信号の再生を表示開始時点から所望の時間遡って録画済み映像信号の再生位置を制御する再生操作ボタンが操作されたときに得られる再生位置制御信号を、前記媒体検出手段により検出された方の記録媒体の読み出し制御を行う信号として供給する制御信号供給手段と、
を具備して構成したことを特徴とする２画面テレビジョン受信再生装置。
【発明の詳細な説明】
【０００１】
【発明の属する技術分野】
本発明は、２分割画面表示やピクチャインピクチャにより複数のテレビ番組の視聴を行なうに際し、放送を受信して得られる映像信号を記録し、その記録した映像信号の任意の個所を指定して再生可能である記録再生手段を介して行なうことにより、過去の映像再生を可能とする２画面テレビジョン受信再生装置に関するものである。
【０００２】
【従来の技術】
従来より、受信される２つの番組を２分割画面表示や、ピクチャインピクチャにより表示するテレビ番組の視聴がなされている。
図９に、ピクチャインピクチャ（以下、ＰｉｎＰと記述することもある）によるテレビ受像画面の例を示す。
【０００３】
そのＰｉｎＰは、視聴中の主番組を親画面２１として表示し、その中に小ウィンドウによる子画面２２を設け、そこに副番組を表示するようになす表示機能である。そして、視聴者は例えば視聴したいドラマなどの主番組を親画面に表示し、サッカー放送などの副番組を子画面により表示するようにして、同時に２つの番組を視聴しようとするものである。
【０００４】
そのような２番組の視聴で、副番組に視聴の希望される映像信号が表示されたときには、主番組と副番組を操作により切り替えることにより副番組を親画面で表示する。しかし、切り替えて表示される映像は希望された映像部分を過ぎた番組信号であり、視聴者は視聴の希望される過去の映像を再度視聴したい欲求を有している。
【０００５】
その過去に放送された個所まで遡って再生する機能を有する装置として、ハードディスクレコーダがある。そのハードディスクレコーダ（以下、ＨＤＲと記述することもある）は、記録媒体としてハードディスクなどのランダムアクセス可能な情報信号記録媒体を用いた映像信号記録再生装置であり、記録及び再生のためのアクセス時間が短いなどの利点から、放映中の映像信号の記録と再生を同時に行える機能を有している。
【０００６】
そして、その様な同時記録再生機能を有する映像信号記録再生装置は、放送中の番組を現在から過去に連続的にタイムシフトしながら視聴できるキャッシュ再生や過去に記録を開始した映像信号を、現在記録中の映像信号に追いつくようにして再生できる追っかけ再生などの便利な機能を有している。
【０００７】
図１０に、そのキャッシュ再生が可能なハードディスクレコーダを２画面テレビに接続して表示するピクチャインピクチャ視聴システムの構成を示し、その動作について簡単に説明する。
【０００８】
同図に示すピクチャインピクチャ視聴システムは、２画面テレビ１０ａ、第１のハードディスクレコーダ（以下、ＨＤＲ１と記述することもある）４０ａ、第２のハードディスクレコーダ（以下、ＨＤＲ２と記述することもある）５０ａ、テレビ用リモコン３０、ＨＤＲ１用リモコン３６、及びＨＤＲ２用リモコン３６より構成される。
【０００９】
そのように構成されるピクチャインピクチャ視聴システムでは、ＨＤＲ１及びＨＤＲ２によりキャッシュ再生される映像信号が２画面表示されているため、希望する番組を現在から過去に渡って連続的にシフトしながら再生することができるため、例えばサッカーにおけるゴールの瞬間を含めて遡り、決定的瞬間を親画面に表示して視聴することができる。
【００１０】
図１１に、ピクチャインピクチャ視聴システムの構成を示し、その動作について述べる。
同図において、２画面テレビ１０ａはチューナ１１ａ、１１ｂ、多重化映像作成器１２、表示器１３、リモコンインタフェース１８、第１の映像信号入力端子１９ａ、及び第２の映像信号入力端子１９ｂより構成される。
【００１１】
そして、第１のハードディスクレコーダ４０ａはチューナ４１、エンコーダ４２、ハードディスク４３、デコーダ４４、及びリモコンインタフェース４８より構成される。また、第２のハードディスクレコーダ５０ａはチューナ５１、エンコーダ５２、ハードディスク５３、デコーダ５４、及びリモコンインタフェース５８より構成される。
【００１２】
さらに、２画面テレビ用としてテレビ用リモコン３０が、ＨＤＲ１用としてリモコン３６が、またＨＤＲ２用としてリモコン３８がある。そして、それらのリモコンのそれぞれは、リモコンインタフェース１８、４８、及び５８に赤外光を伝送することによりそれぞれのリモコンの操作内容が、相対応するリモコンインタフェース１８、４８、及び５８に伝達される。また、それらのリモコンとリモコンインタフェースとが相対応して動作するように、赤外光により伝送される変調信号には異なるリモコン番号が付されており、リモコンとリモコンインタフェースとは同一のリモコン番号に設定される組み合わせで動作する。
【００１３】
そのようなリモコンを含んで構成される２画面テレビ１０ａは、多重化映像作成器１２により、チューナ１１ａ、及びチューナ１１ｂで受信されて得られるそれぞれの映像信号が、表示器１３上の親画面及び子画面に割り付けられて表示される。
【００１４】
さらに２画面テレビ１０ａは、第１の映像信号入力端子１９ａ及び第２の映像信号入力端子１９ｂに供給される２つの映像信号を親画面及び子画面に割り付けて表示する機能を有しており、ＨＤＲ１から供給される映像信号、及びＨＤＲ２から供給される映像信号を親画面及び子画面のそれぞれに表示する。
【００１５】
そして、表示される映像信号の親画面と子画面との交換はテレビ用リモコン３０を操作することにより行える。また、リモコン３６及びリモコン３８を用いてハードディスクレコーダに記録された番組の嗜好する個所をキャッシュ再生機能により操作しつつ視聴することができる。
【００１６】
図１２に、ＨＤＲ１及びＨＤＲ２を用いてピクチャインピクチャ表示を行うための動作を示す。
同図において、まずＳ（ステップ）８１で、テレビ受像機に対してピクチャインピクチャ表示を指定し、親子２画面により２つの番組を受信する。
【００１７】
次に、Ｓ８２でＨＤＲ１の電源をオンとし、その受信チャンネルを親画面に対応するチャンネルに設定し、Ｓ８３で受信される番組のキャッシュ再生を行う。そして、Ｓ８４で親画面に表示されている映像信号をＨＤＲ１から第１の映像信号入力端子を介して供給される信号に切り替える。
【００１８】
そして、Ｓ８５においてＨＤＲ２の電源を投入して子画面と同一の番組を受信し、Ｓ８６でＨＤＲ２のキャッシュ再生を設定し、Ｓ８７で第２の映像信号入力端子を介して供給される映像信号を子画面に切り替えて表示する。
【００１９】
以上の動作により、ＨＤＲ１及びＨＤＲ２のそれぞれによりキャッシュ再生された映像信号が親子の２画面に表示される。従って、例えばサッカーを子画面により表示して受信しているときにゴールされたときには、子画面の映像を親画面に切り替えて表示すると共に、ＨＤＲ２を操作してゴールする前の映像から改めて視聴することができる。
【００２０】
以上、従来から製品化されている装置を組み合わせて、過去まで遡って視聴が可能であるピクチャインピクチャ視聴システムを構成する方法について述べた。これにより、子画面で視聴していた映像を過去に遡って親画面で視聴することは技術的に可能である。
【００２１】
【発明が解決しようとする課題】
しかしながら、上記従来装置を組み合わせて実現したピクチャインピクチャ視聴システムにおける視聴では、親画面と子画面の交換、及びそれぞれの画面に表示される映像信号のキャッシュ再生を行なうために合計３つのリモコンが必要である。従って、視聴者はそれらのリモコンキーとシステムの動作を熟考しながら目的のリモコンを操作しなければ希望する映像の再生操作を行うことができなく、煩雑である。
【００２２】
即ち、親子画面の切り替えは２画面テレビのテレビ用リモコン３０により操作し、親画面に表示されている方の映像はＨＤＲ１、又はＨＤＲ２の何れかであるのでＨＤＲ１用リモコン及びＨＤＲ２用リモコンの両者を操作しながら目的のリモコンを特定し、それによりはじめて目的画面のキャッシュ再生を実行できるなど煩雑である。従って、上記のような従来装置を組み合わせて実現したピクチャインピクチャシステムは有効に活用されるには至らない方法である。
【００２３】
そこで、本発明では、２画面テレビに表示される２つの映像のうち、親画面の方に接続されるＨＤＲを検出する。そして、２画面テレビ操作用テレビ用リモコンに配置されるいわゆるＶＴＲの録再制御を行うためのボタンが操作されたときに、上記検出された方のＨＤＲに対してキャッシュ再生を行うための制御信号を伝送する。それにより、テレビ用の１つのテレビ用リモコンのみを操作することにより、親画面に表示される方のＨＤＲによるキャッシュ再生を行えるようにするものである。又は子画面により表示を開始した方の映像を親画面に表示すると共に、その親画面の時間シフト再生を可能とするものである。
【００２４】
【課題を解決するための手段】
本発明は、上記課題を解決するために以下の１）〜３）の手段より成るものである。
すなわち、
【００２５】
１）　受信して得られる第１のチャンネルの映像信号をランダムアクセス可能な第１の記録媒体に記録し、その記録した信号の任意の位置をアクセスして読み出し、その読み出して得られる映像信号を親画面と子画面とよりなる２画面表示のいずれか一方の画面に表示し、且つ第２のチャンネルの映像信号をランダムアクセス可能な第２の記録媒体に記録し、その記録した信号の任意の位置をアクセスして読み出し、その読み出して得られる映像信号を前記２画面表示手段の親画面又は子画面の他方の画面に表示する一方、前記２画面表示手段の子画面に表示されている映像信号を親画面に表示し直すと共に、前記親画面に表示し直した映像信号の再生を表示開始時点から所望の時間遡って録画済み映像信号の再生位置を制御する２画面テレビジョンの受信再生方法であって、
前記２画面表示手段における子画面表示が開始されたときに、親画面の方に表示される番組を主番組、子画面の方の番組を副番組として定める第１のステップ（１２）と、
前記親画面に表示し直した映像信号の再生を表示開始時点から所望の時間遡って録画済み映像信号の再生位置を制御する再生操作ボタンが操作されたときに副番組の映像信号を親画面に表示する第２のステップ（１７）と、
前記再生操作ボタンの操作に応じて親画面に表示される映像信号のアクセス読み出し位置を可変して読み出す第３のステップ（５７）と、
を有することを特徴とする２画面テレビジョンの受信再生方法。
２）　受信して得られる第１のチャンネルの映像信号をランダムアクセス可能な第１の記録媒体に記録し、その記録した信号の任意の位置をアクセスして読み出し、その読み出して得られる映像信号を親画面と子画面とよりなる２画面表示のいずれか一方の画面に表示し、且つ第２のチャンネルの映像信号をランダムアクセス可能な第２の記録媒体に記録し、その記録した信号の任意の位置をアクセスして読み出し、その読み出して得られる映像信号を前記２画面表示手段の親画面又は子画面の他方の画面に表示する一方、前記２画面表示手段の子画面に表示されている映像信号を親画面に表示し直すと共に、前記親画面に表示し直した映像信号の再生を表示開始時点から所望の時間遡って録画済み映像信号の再生位置を制御する２画面テレビジョンの受信再生方法であって、
前記２画面表示手段における子画面表示が開始されたときに、親画面の方に表示される番組を主番組、子画面の方の番組を副番組として定める第１のステップ（１７）と、
前記受信チャンネルの変更操作がなされたときに、新しく設定された受信チャンネルの映像信号を親画面に表示すると共に、前記主番組を子画面に表示する第２のステップ（１２）と、
前記主番組の記録を、前記２画面表示が終了するまで、又は記録停止の操作がなされるまで継続して行なう第３のステップ（５７）と、
を有することを特徴とする２画面テレビジョンの受信再生方法。
３）　受信して得られる第１のチャンネルの映像信号をランダムアクセス可能な第１の記録媒体に記録し、その記録した信号の任意の位置をアクセスして読み出し、その読み出して得られる映像信号を親画面と子画面とよりなる２画面表示のいずれか一方の画面に表示し、且つ第２のチャンネルの映像信号をランダムアクセス可能な第２の記録媒体に記録し、その記録した信号の任意の位置をアクセスして読み出し、その読み出して得られる映像信号を前記２画面表示手段の親画面又は子画面の他方の画面に表示する一方、前記２画面表示手段の親画面に表示されている映像信号の再生を表示開始時点から所望の時間遡って録画済み映像信号の再生位置を制御する２画面テレビジョン受信再生装置であって、
前記２画面表示手段において親画面の方に表示されている映像信号は、前記第１の記録媒体に記録した信号、又は前記第２の記録媒体に記録した信号のいずれであるかを検出する媒体検出手段（１２、１７）と、
前記映像信号の再生を表示開始時点から所望の時間遡って録画済み映像信号の再生位置を制御する再生操作ボタンが操作されたときに得られる再生位置制御信号を、前記媒体検出手段により検出された方の記録媒体の読み出し制御を行う信号として供給する制御信号供給手段（１７、３９）と、
を具備して構成したことを特徴とする２画面テレビジョン受信再生装置。
【００２６】
【発明の実施の形態】
以下、本発明のテレビジョン信号の受信方法、及びテレビジョン信号受信装置の実施の形態につき、好ましい実施例により説明する。
図１は、その実施例に関わるテレビジョン信号受信システムの概略構成である。
【００２７】
同図において、テレビジョン信号受信システムは親画面２１と子画面２２を表示する２画面テレビ１０、テレビ用リモコン３０、第１のハードディスクレコーダ（以下、ＨＤＲ１と略すことがある）４０、及び第２のハードディスクレコーダ（以下、ＨＤＲ２と略すことがある）５０より構成される。
【００２８】
そのテレビジョン信号受信システムは、例えばＨＤＲ１により受信して記録される映像信号の任意の記録位置を過去にシフトしながら再生することが可能（この機能をキャッシュ再生と呼ぶ）であり、更にＨＤＲ２によりキャッシュ再生を行って得られる映像信号を子画面に表示する。
【００２９】
そして、例えば親画面のドラマを視聴中に子画面のサッカーでゴールがされたときなどに、テレビ用リモコン３０を用いて親と子の画面を切り替え、次にリモコン３０に設けられている、いわゆるＶＴＲを操作するための巻き戻しボタンを操作してサッカーのゴールの瞬間をサーチし、再生ボタンを押すことによりゴールの前の映像より再生できる。
【００３０】
それらの動作を行うためのリモコンは、ＴＶ用の１個のリモコンを用いて操作される。
次に、その動作の詳細に係り更に詳細なブロック図を用いて説明する。
【００３１】
図２に、テレビジョン信号受信システムの構成を示す。
同図において、２画面テレビ１０はチューナ１１ａ、１１ｂ、多重化映像作成器１２、表示器１３、制御部１７、リモコンインタフェース１８、及び映像信号入力端子１９ａ、１９ｂより構成される。
【００３２】
そして、第１のハードディスクレコーダ４０は、チューナ４１、エンコーダ４２、ハードディスク４３、デコーダ４４、及び制御部４７より構成される。また、第２のハードディスクレコーダ５０は、チューナ５１、エンコーダ５２、ハードディスク５３、デコーダ５４、及び制御部５７より構成される。
【００３３】
そして、テレビ用リモコン３０はリモコンインタフェース１８と赤外光により結合されており、またそれぞれの制御部１７、４７、及び５７はハブ３９と有線ネットワークにより結合されている。
【００３４】
さらに、ハードディスクレコーダ４０の映像出力信号は映像信号入力端子１９ａ及びスイッチを介して多重化映像作成器１２に供給されており、またハードディスクレコーダ５０の映像信号出力は映像信号入力端子１９ｂ及びスイッチを介して多重化映像作成器１２に供給されている。
【００３５】
次に、このように構成されるテレビジョン信号受信システムの動作について更に述べる。
図３、及び図４にテレビジョン信号受信システムの動作をフローチャートにより示し、説明する。
【００３６】
まず、Ｓ１１（ステップ１１）において２画面テレビ１０にピクチャインピクチャの表示を指示する。それにより親画面及び子画面に視聴の希望される受信チャンネルが選択されて２画面映像が表示される。
【００３７】
次に、Ｓ１２において第１のハードディスクレコーダ４０は他の動作を実行中であるなどにより録画再生が可能であるか否かを制御部１７よりハブ３９を介して制御部４７に問い合わせる。そして、録画再生（キャッシュ再生）が可能であるとされるときには、Ｓ１３においてチューナ１１ａの設定されている受信チャンネル情報を制御部４７に伝送し、チューナ４１を同一受信チャンネルに設定する。
【００３８】
Ｓ１４において、第１のハードディスクレコーダ４０は同一のチャンネルで受信されるときは、Ｓ１８においてそのチャンネルの映像信号のキャッシュ再生を開始させ、Ｓ１９においてその再生が確認されたときに２画面テレビ１０は映像信号入力端子に供給される方の信号をスイッチにより切り替えて親画面２１に表示する。
【００３９】
Ｓ２１〜Ｓ３０において、第２のハードディスクレコーダに対して上記と同様の動作を行い、ＨＤＲ２の再生が開始されたときに子画面と同じ番組のキャッシュ再生された映像をスイッチにより切り替えて子画面２２に表示する。このときの親子２画面によるキャッシュ再生が開始されたときに、親画面の方に表示される番組を主番組、子画面に表示される番組を副番組として定め、主番組はそれ以降になされるチャンネルの変更操作に対しても、継続して記録がなされるようにする。
【００４０】
また、上記動作の開始に当り、ＨＤＲ１又はＨＤＲ２でタイマー録画などが設定されているなどによりキャッシュ再生が出来ないとき、即ちＳ１５、Ｓ１７、Ｓ２４、Ｓ２７のときには、対応する画面でキャッシュ再生ができないとする告知画面を表示器１３に表示し、そしてＳ１７、Ｓ２８ではスイッチの切り替えを行わないなどのエラー処理を行う。
【００４１】
そして、表示される映像信号がハードディスクレコーダからの信号に切り替えられたときには、例えばオンスクリーン表示により「親：ＨＤＲ１」ないしは「子：ＨＤＲ２」などの表示を行い、その画面はキャッシュ再生中であることを使用者に知らせる。また、親画面には主番組であるとして定義された番組であることを、子画面には副番組であることを表示する。
【００４２】
次に、２画面表示される番組の受信チャンネル変更について述べる。
図５に、受信チャンネル変更の動作をフローチャートにより示す。
同図において、Ｓ４１においてテレビ用リモコン３０のボタンを操作して受信チャンネルの変更設定がなされるときは、Ｓ４２においてＨＤＲ２は親画面に表示されているかがチェックされる。
【００４３】
そして、２画面表示を開始したときに子画面に表示されていたＨＤＲ２の出力信号が親画面に表示されていないときには、２画面テレビはＳ４３によりテレビ用リモコン３０のチャンネル切り替え信号を受信する。そして、Ｓ４４によりＨＤＲ２の映像信号を親画面の信号に切り替えると共にＨＤＲ１の映像信号を子画面に表示するように切り替える。
【００４４】
次に、Ｓ４５においてテレビ用リモコン３０のチャンネル切り替え信号をＨＤＲ２のチューナ４１の切り替え信号としてＨＤＲ２に伝送する。その伝送はリモコンインタフェース１８、制御部１７により得られるテレビ用リモコン３０のチャンネルボタン操作情報をハブ３９を介して制御部５７に伝送する動作である。
【００４５】
そのようにしてなされるチャンネル切り替え操作は、ＰｉｎＰを開始した時点にチューナー４１により受信されている親画面に表示されていた番組は、使用者が主であるとする番組であり、その主番組のＨＤＲ１への記録はＰｉｎＰの表示終了、即ち主番組の終了まで行うためである。
【００４６】
それにより、副番組の視聴のために中断されていた主番組の視聴は、副番組の視聴の後に再びＨＤＲ１で記録が継続中である主番組を親画面に切り替えて表示することにより行う。そして、主番組の例えば追っかけ再生により中断部を含めて主番組の最後までの番組視聴を可能とするものである。
【００４７】
次に、テレビ用リモコン３０に設けられている、いわゆるＶＴＲの巻き戻し、早送りボタンを用いて行うハードディスクレコーダのキャッシュ再生、及び追っかけ再生の動作について述べる。
【００４８】
図６に、一般的な２画面表示用テレビリモコンのボタン配置を示す。
同図において、ボタン３１ａと３１ｂは制御対象をＴＶとするか、又はＶＴＲとするかを選択するボタンであり、３１ｃは電源ボタンである。そして、３２ａ〜３２ｍはチャンネル選択用ボタンである。
【００４９】
また、３３ａ〜３３ｆはＶＴＲ制御用ボタンであり、その機能は順に巻き戻し、再生、早送り、一時停止、録画、そして停止ボタンである。さらに、ボタン３４ａ、３４ｂは音量調節用の、そして３５はＰｉｎＰの親子切り替えボタンである。
【００５０】
ここで、ＶＴＲ用の制御ボタンを用いてハードディスクレコーダの動作制御を行う方法について述べる。そして、その動作制御は親画面を表示している方のＨＤＲに対して行う。即ち、２画面ＴＶ１０の制御部１７において、現在親画面に表示されている映像信号はＨＤＲ１の方であるか又はＨＤＲ２の方であるかを検出する。
【００５１】
そして、リモコンボタン３３ａ〜３３ｄの操作情報はリモコンインタフェース１８により得、その得られた操作情報を制御部１７及びハブ３９を介して親画面に表示されている方のハードディスクレコーダの制御部に供給する。
【００５２】
その操作情報の供給されたハードディスクレコーダは記録中の映像信号に対し、操作ボタンに対応した再生位置制御によりキャッシュ再生を行う。
図７にピクチャインピクチャ表示中になされる、ＶＴＲ制御用ボタンによる再生制御の動作をフローチャートにより示し、その動作について述べる。
【００５３】
まず、Ｓ５１によりリモコンボタン３３ａ〜３３ｄの操作がなされたときに、Ｓ５２により親画面に表示されている映像はＨＤＲ１からの映像であるか否かが検出される。そして、ＨＤＲ１の方の映像であるときにはその操作された制御情報をＨＤＲ１を制御するための制御情報に変換し、ハブ３９を介してＨＤＲ１に伝送する。
【００５４】
そして、親画面に表示されているのがＨＤＲ２の方であるときには、制御情報はＳ５５でＨＤＲ２を制御するための信号に変換され、Ｓ５６でその変換された情報はハブ３９を介してＨＤＲ２に供給される。
【００５５】
そして、ハードディスクに記録した映像信号のＰｉｎＰ表示は、停止ボタン３３ｆが操作されるまで行われるが、停止ボタンが操作されたときにはＳ５７においてピクチャインピクチャ表示を終了するかが問い合わされ、再度停止ボタンの操作がなされなかったときには、Ｓ５９により次の操作情報を得るようにして、Ｓ５２からの動作を繰り返して実行する。
【００５６】
Ｓ５７において、再度停止ボタンが操作されたときには上記の動作を終了する。即ち、そのときにはＰｉｎＰの動作を終了させると共に、Ｓ５８においてテレビ用リモコンに設けられるＶＴＲ制御用のボタン操作情報をＨＤＲ制御情報に変換してＨＤＲに供給する動作も終了させる。
【００５７】
次に、ＰｉｎＰ動作を終了させるときになされるＨＤＲ１、及びＨＤＲ２の動作について述べる。
図８に、ＰｉｎＰ終了時になされるＨＤＲ１、及びＨＤＲ２の動作をフローチャートにより示し、説明する。
【００５８】
まず、Ｓ６１によりＰｉｎＰ表示終了の操作がなされたときは、Ｓ６２においてＨＤＲ１からの映像信号が親画面に表示されているか否かがチェックされ、ＨＤＲ１の信号が表示されているときにはＳ６３によりＨＤＲ２での録画動作を停止し、Ｓ６４で子画面の表示を終了する。
【００５９】
そして、Ｓ６２においてＨＤＲ１の映像が親画面に表示されていないとして検出されたときには、Ｓ６５でＨＤＲ１の録画、及び再生を継続させるように設定する。次のＳ６６では、ＨＤＲ１の子画面表示を終了する。
【００６０】
そして、Ｓ６７ではＨＤＲ１の録画停止の操作がなされたか否かがチェックされ、操作がなされたときにはＳ７０でＨＤＲ１の録画を停止する。また、停止の操作がなされないときにはＳ６８でＨＤＲ１で行なわれているキャッシュ再生に係る再生位置信号が供給されているかを検出し、供給されているときにはそのキャッシュ再生を継続する。
【００６１】
そのＨＤＲ１のキャッシュ再生は、Ｓ６７でＨＤＲ１の録画停止指示が検出されるまで継続させる。そして、現在ＨＤＲ１により録画が継続して行なわれていることを、例えばオンスクリーン表示により「ＨＤＲ１録画中」を画面の端に表示し、必要なときに視聴可能であることを視聴者に通知するようにしても良い。
【００６２】
そして、ＨＤＲ１による録画の最中であっても、記録中の映像はＰｉｎＰ開始時点までの巻き戻し、及び再生、更には追っかけ再生を、テレビ用リモコンのＶＴＲ操作用ボタンを用いて行うことができる状態となっている。
【００６３】
一方、上記のＳ６１のＰｉｎＰ表示終了時点で、親画面にＨＤＲ２の映像が表示されていた場合には、子画面側に表示されていたＨＤＲ１の録画再生を継続し、画面全体にＨＤＲ１の映像を続けて表示するようにしてＰｉｎＰ表示動作を終了させる。
【００６４】
それは、２画面表示開始時点で主番組がＨＤＲ１を介して親画面に、副番組がＨＤＲ２を介して子画面に表示されるように設定されたため、２画面表示終了時点では主番組を画面全体に表示するようにして２画面表示動作を終了させる方が使用者にとって好ましいからである。
【００６５】
以上、２画面テレビに２台のハードディスクレコーダを接続して行う２画面テレビシステムについて述べた。そして、通常のそのシステムは２台のハードディスク用のリモコンとテレビ用の合計３台のリモコンを用いて操作を行うことになり煩雑であるが、テレビ用リモコンに設けられるいわゆるＶＴＲを操作するリモコンキーを用いることにより１台のテレビ用リモコンで上記システムの操作を行なうことができる。
【００６６】
また、２台のハードディスクレコーダを２画面テレビ装置に内蔵するようにしても同様の利点が得られる。
そして、ハードディスク内蔵テレビのテレビ用リモコンは、２画面テレビの操作部、とＨＤＲ１用及びＨＤＲ２用の、少なくとも３つの装置に対する操作部が設けられることになる。
【００６７】
リモコンに２種類のＨＤＲ用の操作部を設けることは、上記と同様に煩雑である。そして、２つのＨＤＲを内蔵する２画面テレビにおいても、通常のテレビ用リモコンのように１種類の、いわゆるＶＴＲ操作用ボタンが用いられて操作できる場合は、好適な操作を行なえる。
【００６８】
そして、ＨＤＲ内蔵型２画面テレビの場合では、前述の図２に示した３つの制御部１７、４７、及び５７の間での信号の受け渡しはハブ３９を用いることなく直接的に結線して行える。
【００６９】
さらに、１台のＨＤＲ内蔵型２画面テレビに、２台目のＨＲＤを増設して同様な２画面テレビシステムを構成する場合であっても、１台のテレビ用リモコンを用いて２台のＨＤＲを操作することの出来るシステムとして構成できる。
【００７０】
そしてまた、現在のＨＤＲは１チャンネルの番組の記録と再生を同時に行うことが出来るが、更に高速な信号を扱えるハードディスクを用いることにより、更に高速なビットストリームの記録及び再生を行える。その場合には、２チャンネル記録及び１チャンネル再生を、更には２チャンネル記録及び２チャンネル再生の両者を同時に行えるハードディスクレコーダも実現できる。
【００７１】
その２チャンネル同時記録再生型ハードディスクレコーダは、２画面テレビが有する２チャンネルの受信映像を２台のＭＰＥＧ（ｍｏｖｉｎｇ　ｐｉｃｔｕｒｅ　ｅｘｐｅｒｔｓ　ｇｒｏｕｐ）−２符号化器（エンコーダ）により圧縮符号化したビットストリームをハードディスクに記録し、再生した２つのビットストリームを２台の復号器（デコーダ）によりデコードして２チャンネルのキャッシュ再生映像信号を得るものである。
【００７２】
それらのいずれの構成による２台のＨＤＲ内蔵２画面テレビにおいても、上述の方法により２画面映像を操作により再生することができ、その操作は操作が容易である通常のテレビ用リモコンと同様なボタン配列により構成することができる。そのようにして、操作が簡便な２画面テレビシステムとして構成することができる。
【００７３】
そして、その２画面テレビシステムにおいて表示される番組は次のように定義される。すなわち、ピクチャインピクチャ表示の開始されたときに親画面に表示される番組を主番組とし、子画面に表示される番組を副番組とする。そして、チャンネル切り替え操作がなされたときは、副番組に対してチャンネル切り替えを行う。
【００７４】
また、副番組が子画面に表示されているときにチャンネル切り替え操作がなされたときは、新たに選択されたチャンネルの番組を親画面に表示し、主番組を子画面に表示するように切り替える。従って、ユーザの意志による中断を除いて、主番組はＰｉｎＰ表示が終了されるまでＨＤＲ１に録画が継続される。
【００７５】
さらに、上記の機能を実現するためのチャンネル切り替え動作は、例えばＣＳデジタル放送受信であり、そのデジタル放送信号は外部に接続されるＣＳチューナからの信号を切り替えて受信する場合においても同様になされる。
【００７６】
即ち、そのときの２画面テレビは、表示する信号を映像信号入力端子に切り替えて表示する。従って、チャンネル切り替えはテレビ受信機のチャンネル操作の他に、入力映像信号の切り替え時においても同様に動作させるようにする。
【００７７】
そして、このチャンネル切り替え動作は、映像信号入力端子に接続されるＶＴＲ等の信号に対しても、上述と同様にして主番組と副番組を定義して動作させる。
さらに、その操作をリモコンボタンを用いて行う方法により述べたが、その操作ボタンは２画面テレビ本体に設置されるボタンであっても良い。そして、そのときの２台のハードディスクレコーダの再生制御は１系統のボタンによりなされることになる。
【００７８】
ところで、前述の図２に示したハードディスクレコーダ４０は、アナログ放送受信チューナ４１で受信されるアナログ映像信号をエンコーダ４２によりデジタル信号に変換して後にＭＰＥＧ２方式による圧縮符号化を行なってハードディスクに記録する装置として述べた。
【００７９】
そして、ディジタルＢＳ放送など、ＭＰＥＧ２方式により圧縮符号化されたビットストリームが放送される信号を受信する場合は、受信して得られるビットストリーム信号を直接ハードディスクに記録するようにしても同様の機能を有する２画面テレビジョンを構成することができる。ディジタル地上波放送においても同様である。
【００８０】
そしてまた、キャッシュ再生を行うための記録媒体としてハードディスクを用いるハードディスクレコーダを中心として述べたが、そのための記録媒体は高速アクセスが可能な媒体、例えば光磁気ディスク、ＲＡＭ形、又はＲＷ形のＤＶＤ、そして半導体メモリ形記録媒体等の他の記録媒体を用いた装置であっても同様な動作を行うことができる。
【００８１】
さらに、映像信号の符号化方式をＭＰＥＧ−２方式を例として述べたが、圧縮符号化の方法はこれに限らず、俗にモーションＪＰＥＧと呼ばれるフレーム内符号化による方法、あるいはＭＰＥＧ−４方式、ＭＰＥＧ−７方式、これから規格化の開始されるＭＰＥＧ−２１方式、その他フラクタルの圧縮手法を用いるものによって放送される番組の記録及び再生を行うものであってもよい。
【００８２】
【発明の効果】
請求項１記載の発明によれば、２画面表示が開始されたときの状態で主番組と副番組を定め、再生制御ボタンが操作されたときに副番組の映像信号を親画面に表示し、その再生制御ボタンの操作に応じて映像信号のアクセス読み出し位置を可変制御するようにしているので、第１及び第２の記録媒体の記録及び再生制御のための再生制御ボタンを１系統のボタンにより簡易に制御操作を行うことのできる２画面テレビジョンの受信再生方法を提供出来る効果がある。
【００８３】
また、請求項２記載の発明によれば、２画面表示が開始されたときに主番組と副番組とを定め、且つ受信チャンネルの変更操作がなされたときに、新しく設定された受信チャンネルの映像信号を親画面に表示するようにし、且つ主番組の記録を２画面表示が終了するまで、又は記録停止の操作がなされるまで継続して行なうようにしているので、２つの記録媒体への記録及び再生制御を簡易に行うことが出来ると共に、主番組全体を中断することなく記録媒体に記録するため、副番組のキャッシュ再生を終えた後に主番組を視聴することのできる好適な２画面テレビジョンの受信再生方法を提供出来る効果がある。
【００８４】
また、請求項３記載の発明によれば、２画面表示手段において親画面の方に表示されている映像信号は、第１の記録媒体に記録した信号又は第２の記録媒体に記録した信号のいずれであるかを検出すると共に、映像信号の再生を表示開始時点から所望の時間遡って録画済み映像信号の再生位置を制御する再生操作ボタンが操作されたときに得られる再生位置制御信号を、検出された方の記録媒体の読み出し制御を行う信号として供給するようにしているので、第１及び第２の記録媒体の記録及び再生制御のための再生制御ボタンを１系統のボタンにより簡易に制御操作を行うことのできる２画面テレビジョン受信再生装置の構成を提供出来る効果がある。
【図面の簡単な説明】
【図１】本発明の実施例に係る、テレビジョン信号受信システムの概略構成を示した図である。
【図２】本発明の実施例に係る、テレビジョン信号受信システムの構成を示した図である。
【図３】本発明の実施例に係る、テレビジョン信号受信システムの動作の前半部をフローチャートにより示した図である。
【図４】本発明の実施例に係る、テレビジョン信号受信システムの動作の後半部をフローチャートにより示した図である。
【図５】本発明の実施例に係る、受信チャンネル変更の動作をフローチャートにより示した図である。
【図６】本発明の実施例に係る、一般的な２画面表示用テレビリモコンのボタン配置を示した図である。
【図７】本発明の実施例に係る、ＶＴＲ制御用ボタンによる再生制御の動作をフローチャートにより示した図である。
【図８】本発明の実施例に係る、ＰｉｎＰ終了時のＨＤＲ１、及びＨＤＲ２の動作をフローチャートにより示した図である。
【図９】従来の、ピクチャインピクチャによるテレビ受像画面の構成例を示した図である。
【図１０】従来の装置を組み合わせて構成したピクチャインピクチャ視聴システムを示した図である。
【図１１】従来の装置を組み合わせて実現したピクチャインピクチャ視聴システムの構成を示した図である。
【図１２】従来の装置を組み合わせて構成したピクチャインピクチャ視聴システムの動作を示した図である。
【符号の説明】
１０　２画面テレビ
１１ａ、１１ｂ　チューナ
１２　多重化映像作成器
１３　表示器
１７　制御部
１８　リモコンインタフェース
１９ａ、１９ｂ　映像信号入力端子
２１　親画面
２２　子画面
３０　テレビ用リモコン
３１〜３５　操作ボタン
３６、３８　ハードディスクレコーダ用リモコン
３９　ハブ
４０、４０ａ、５０、５０ａ　ハードディスクレコーダ
４１、５１　チューナ
４２、５２　エンコーダ
４３、５３　ハードディスク
４４、５４　デコーダ
４７、５７　制御部
【図１】
2004072449.tif 000003
【図２】
2004072449.tif 000004
【図３】
2004072449.tif 000005
【図４】
2004072449.tif 000006
【図５】
2004072449.tif 000007
【図６】
2004072449.tif 000008
【図７】
2004072449.tif 000009
【図８】
2004072449.tif 000010
【図９】
2004072449.tif 000011
【図１０】
2004072449.tif 000012
【図１１】
2004072449.tif 000013
【図１２】
2004072449.tif 000014